(57)【要約】      （修正有）【課題】透明または半透明の合成樹脂の薄板で形成された空間内に書類や文具用品などを挿入して携帯及び保管することができる書類ケースを提供する。【解決手段】書類ケース１００は、合成樹脂製の薄板を上面部１０１、下面部１０３および小幅面部１０２が形成されるように一体に裁断し、他の合成樹脂製の薄板を仕切り部が形成されるように裁断し、小幅面部を除いた上面部と下面部の縁部に一定の面積にて折り曲げられた仕切り部を位置させ、その縁部をナイロン等の合成繊維からなるプレートウェッビングで包んだ後、縫うことで形成される。合成樹脂製の薄板を裁断し、プレートウェッビングで塗った後、縫い作業を行うだけで書類ケースを製作することができるため、製作単価が低くなる効果が得られ、ジッパーや支持部材を使用することなく合成樹脂製の薄板を裁断した仕切り部だけで内容物を保護することができ便利である。【選択図】図３
0003105511.tif 000002
【実用新案登録請求の範囲】
【請求項１】
透明または半透明の合成樹脂製の薄板からなり、書類や文具類などを挿入することができる書類ケースにおいて、
上面部101、下面部103、小幅面部102が合成樹脂製の薄板で一体に形成され、
前記上面部101と下面部103の各縁部に合成樹脂製の薄板で形成された上部仕切り部200と下部仕切り部300の一端を直角に折り曲げて位置させた後、プレートウェッビング400で塗り、縫い線401に沿って裁縫し、
前記上面部101の一側中央の上端部に雄ベルクロテープ220が円形に形成され、下面部103の一側中央の下端部に雌ベルクロテープ320が形成されることを特徴とする書類ケース。
【請求項２】
前記上部仕切り部200と下部仕切り部300とは、それぞれ一定面積の仕切り小幅面部305を折り曲げてＬ字状に形成され、上部仕切り部200と下部仕切り部300の各仕切り小幅面部305は、上面部101と下面部103の縁部にそれぞれ一致するように口字状に折り畳まれるように一定の間隔で切開された曲面仕切り小幅面部307を形成したことを特徴とする請求項１に記載の書類ケース。
【請求項３】
前記上部仕切り部200と下部仕切り部300の一端をＬ字状に折り曲げる時、前記下部仕切り部300の折り曲げ部の幅が、前記上部仕切り部200の折り曲げ部の幅に比べて２ｍｍ大きく形成されることを特徴とする請求項１に記載の書類ケース。
【考案の詳細な説明】
【技術分野】
【０００１】
本考案は、書類ケースに関し、特に、透明または半透明の合成樹脂製の薄板で形成された空間内に書類や文具類を入れて携帯および保管することができる書類ケースに関する。
【背景技術】
【０００２】
一般に、少量の書類を持ち運んだり、文具類や書類などを持って外出したりすることができるように、合成樹脂製の薄板で形成された書類ケースが多く使用されている。以下、従来の書類ケースを図１および図２を参照して説明する。
【０００３】
図１に示された書類ケースは、ケースをなす前面部と後面部、および折畳部が一体型の合成樹脂製の薄板で形成され、折畳部と後面部との間には、弧状の小幅面を形成し、弧状の小幅面には、複数の折り曲げ線が形成される。前記前面部と後面部との間に一定の空間部を形成することができるように書類ケースの下部に弧状に湾曲した小幅面を形成し、前記空間部の形成を維持しつつ内容物を保護するため、前面部と後面部との間に支持部材を挿入して接着することで形成される。
【０００４】
図２に示された書類ケースは、ケースをなす上面部と下面部、および小幅面部が一体型の合成樹脂製の薄板で形成され、合成樹脂製の薄板の外周面にそってバンド処理され、前記小幅面部の形成された空間に収容された内容物を保護するため繊維ベルトが上面部と下面部に連結されており、繊維ベルトの中央にジッパーを結合して開閉可能に形成される。
【０００５】
しかし、図１に示した書類ケースは、内容物を収容する空間を形成するため支持部材を作って前面部と下面部とを接触するなど、製作過程が複雑であり、接着部が取れ易くなるという問題点があるとともに、入口が狭くて内容物を挿入したり取り出したりする作業が容易に行えないという問題点もあった。
【０００６】
また、図２に示した書類ケースは、内容物を保護するためジッパー付繊維ベルトを使用しているため、製造コストがアップするという問題点があるとともに、内容物を入れたり出したりする時、書類ケースの小幅面を除くジッパーが付着された３面を開ける必要があり、不便である。
【考案の開示】
【考案が解決しようとする課題】
【０００７】
本考案は、前述のような従来の書類ケースの問題点を解決するためになされたもので、本考案の目的は、合成樹脂製の薄板と縫い作業だけで形成することによる、低コストで丈夫な書類ケースを提供することにある。
【課題を解決するための手段】
【０００８】
上記の目的を達成するため、本考案は、合成樹脂製の薄板を上面部、下面部および小幅面部が形成されるように一体に裁断し、他の合成樹脂製の薄板を仕切り部が形成されるように裁断し、前記小幅面部を除いた上面部と下面部の縁部に一定の面積で折り曲げられた仕切り部を位置させ、その縁部をナイロンやポリエステルなどの合成繊維からなるプレートウェッビング（Ｐｌａｔｅ Ｗｅｂｂｉｎｇ）で包んだ後、縫うことで形成される。
【考案の効果】
【０００９】
本考案の書類ケースは、合成樹脂製の薄板を裁断し、プレートウェッビングを塗った後、縫い作業を行うだけで書類ケースを製作することができるため、製作単価が低くなる効果が得られ、ジッパーや支持部材を使用することなく合成樹脂製の薄板を裁断した仕切り部だけで内容物を保護することができ、容易に１８０°以上に開けることができるため、便利である。
【考案を実施するための最良の形態】
【００１０】
以下、添付の図面に基づいて本考案の好適な実施例を挙げて説明する。
【実施例】
【００１１】
図３乃至図６に示されたように、本考案に係る書類ケースは、書類ケース本体100を形成するため、合成樹脂製の薄板を上面部101、下面部103および小幅面部102が形成されるように一体型に裁断し、他の合成樹脂製の薄板を上部仕切り部200と下部仕切り部300が形成されるように裁断して、前記合成樹脂製の薄板をナイロンやポリエステルなどの合成繊維からなるプレートウェッビング400で包んだ後、縫い線401に沿って縫うことで形成される。
【００１２】
また、前記上面部101の中央の上端部（図３参照）に雄ベルクロテープ（Ｍａｌｅ Ｖｅｌｃｒｏ Ｔａｐｅ）220を円形に形成し、前記下面部103の中央の下端部（図３参照）に雌ベルクロテープ（Ｆｅｍａｌｅ Ｖｅｌｃｒｏ Ｔａｐｅ）320を形成することで書類ケースの開閉が可能となる。
【００１３】
以下、本考案による書類ケースの製造過程を説明する。
【００１４】
図５において、書類ケース本体100は、上面部101と下面部103および小幅面部102を一体型にして合成樹脂製の薄板を裁断し、上面部101の左右縁部と下面部103の左右縁部を一定の半径で面取りして形成される。
【００１５】
また、図６に示されたように、他の合成樹脂製の薄板を裁断し、前記上部仕切り部200と下部仕切り部300は、仕切り小幅面部305が形成されるように前記上部仕切り部200と下部仕切り部300の一端から小幅面を直角に折り曲げてＬ字状に形成し、前記上部仕切り部200と下部仕切り部300の仕切り小幅面部305の端部が小幅面部102を除いた上面部101と下面部103の縁部にそれぞれ一致するように口字状に形成するが、上部仕切り部200と下部仕切り部300がＬ字状で仕切り小幅面部305と直角をなしているため、曲面仕切り小幅面部307に一定の間隔に切開した切開線を形成することで、上面部101と下面部103の縁部とが一致するように形成される。
【００１６】
前述のように、書類ケース本体100と上部仕切り部200および下部仕切り部300を結合するため、口字状となった上部仕切り部200と下部仕切り部300の各仕切り小幅面部305の端部を前記上面部101と下面部103の縁部に一致させた後、一定の面積を有するプレートウェッビング400で塗り、縫い線401に沿って裁縫して結合させる。
【００１７】
また、上面部101の中央上端部（図３参照）に雄ベルクロテープ220を円形に形成し、下面部103の中央下端部（図３参照）に雌ベルクロテープ320を形成し、前記プレートウェッビング400で共に塗り、裁縫して結合する。また、上部仕切り部200と下部仕切り部300の仕切り小幅面部305を除いた残りの部分は、予めプレートウェッビング400で塗って裁縫する。この時、図４に示されたように、書類ケースを開閉可能とするため、前記上部仕切り部200の仕切り小幅面部205を下部仕切り部300の仕切り小幅面部305より２〜３ｍｍ程度広く（図５の部分拡大図参照）折り曲げ、上面部101と下面部103を開閉する時、下部仕切り部300が上部仕切り部200の外側に位置できるようにすると共に、各仕切り部の縁部に形成されたプレートウェッビング400の幅により上部仕切り部200と下部仕切り部300とは互いに締め付ける働きをするようになる。
【００１８】
前述のように形成された書類ケースを使用する方法は、図７のように雌ベルクロテープ320を円形に形成された雌ベルクロテープ220から分離し、上面部101を持ち上げて１８０°に完全に開けた後、ノート510やその他の文具類を挿入し、上面部101を閉めた後、再び雌ベルクロテープ320を円形に形成された雄ベルクロテープ220に接着させて閉めることができるように形成される。また、円形に形成された雄ベルクロテープ220の円形部にペン500などの筆記具を挿入できるようにすることで、書類や他の文具類を挿入した書類ケースを手で把持すると、ペンや他の筆記具が掛け部材として作用するようになり、これによって、手から容易に離脱しないようになる。
【００１９】
図８は、前述のような書類ケースに種々の部材を設けて形成する種々の実施例を示したものであり、前記書類ケースの後面に一定形態の羽根部を付着して収納空間を広くすることができ（図８（ａ））、クリップを付着（図８（ｂ））することができ、図８（ｃ）のようにベルクロテープの代わりに、スナップボタンを用いることもできる。
【産業上の利用可能性】
【００２０】
以上のように、本考案の書類ケースは、合成樹脂製の薄板を裁断し、プレートウェッビングを塗った後、縫い作業を行うだけで書類ケースを製作することができるため、製作単価が低くなる効果が得られ、ジッパーや支持部材を使用することなく合成樹脂製の薄板を裁断した仕切り部だけで内容物を保護することができ、容易に１８０°以上に開けることができるため、便利である。
【図面の簡単な説明】
【００２１】
【図１】従来の書類ケースを示す斜視図である。
【図２】従来の他の書類ケースを示す斜視図である。
【図３】本考案の実施例による書類ケースを示す斜視図である。
【図４】本考案の実施例による書類ケースが開けられた状態を示す図である。
【図５】本考案の実施例による書類ケースの展開図および部分拡大図である。
【図６】本考案の実施例による書類ケースの部分拡大斜視図である。
【図７】本考案の実施例による書類ケースの使用状態図である。
【図８】本考案の実施例による書類ケースの種々の形態の部材を取り付けた状態図である。
【符号の説明】
【００２２】
１００    書類ケース
１０１    上面部
１０２    小幅面部
１０３    下面部
２００    上部仕切り部
２０５    仕切り小幅面部
２２０    雄ベルクロテープ
３００    下部仕切り部
３０５    仕切り小幅面部
３０７    曲面仕切り小幅面部
３２０    雌ベルクロテープ
４００    プレートウェッビング
４０１    縫い線
５００    ペン
５１０    ノート
【図１】
0003105511.tif 000003
【図２】
0003105511.tif 000004
【図３】
0003105511.tif 000005
【図４】
0003105511.tif 000006
【図５】
0003105511.tif 000007
【図６】
0003105511.tif 000008
【図７】
0003105511.tif 000009
【図８】
0003105511.tif 000010
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
透明または半透明の合成樹脂製の薄板からなり、書類や文具類などを挿入することができる書類ケースにおいて、
上面部101、下面部103、小幅面部102が合成樹脂製の薄板で一体に形成され、
前記上面部101と下面部103の各縁部に合成樹脂製の薄板で形成された上部仕切り部200と下部仕切り部300の一端を直角に折り曲げて位置させた後、プレートウェッビング400で塗り、縫い線401に沿って裁縫し、
前記上面部101の一側中央の上端部に雄面ファスナー220が円形に形成され、下面部103の一側中央の下端部に雌面ファスナー320が形成されることを特徴とする書類ケース。
【請求項２】
前記上部仕切り部200と下部仕切り部300とは、それぞれ一定面積の仕切り小幅面部305を折り曲げてＬ字状に形成され、上部仕切り部200と下部仕切り部300の各仕切り小幅面部305は、上面部101と下面部103の縁部にそれぞれ一致するように口字状に折り畳まれるように一定の間隔で切開された曲面仕切り小幅面部307を形成したことを特徴とする請求項１に記載の書類ケース。
【請求項３】
前記上部仕切り部200と下部仕切り部300の一端をＬ字状に折り曲げる時、前記下部仕切り部300の折り曲げ部の幅が、前記上部仕切り部200の折り曲げ部の幅に比べて２ｍｍ大きく形成されることを特徴とする請求項１に記載の書類ケース。
【手続補正２】
【補正対象書類名】明細書
【補正対象項目名】全文
【補正方法】変更
【補正の内容】
【考案の詳細な説明】
【技術分野】
【０００１】
本考案は、書類ケースに関し、特に、透明または半透明の合成樹脂製の薄板で形成された空間内に書類や文具類を入れて携帯および保管することができる書類ケースに関する。
【背景技術】
【０００２】
一般に、少量の書類を持ち運んだり、文具類や書類などを持って外出したりすることができるように、合成樹脂製の薄板で形成された書類ケースが多く使用されている。以下、従来の書類ケースを図１および図２を参照して説明する。
【０００３】
図１に示された書類ケースは、ケースをなす前面部と後面部、および折畳部が一体型の合成樹脂製の薄板で形成され、折畳部と後面部との間には、弧状の小幅面を形成し、弧状の小幅面には、複数の折り曲げ線が形成される。前記前面部と後面部との間に一定の空間部を形成することができるように書類ケースの下部に弧状に湾曲した小幅面を形成し、前記空間部の形成を維持しつつ内容物を保護するため、前面部と後面部との間に支持部材を挿入して接着することで形成される。
【０００４】
図２に示された書類ケースは、ケースをなす上面部と下面部、および小幅面部が一体型の合成樹脂製の薄板で形成され、合成樹脂製の薄板の外周面にそってバンド処理され、前記小幅面部の形成された空間に収容された内容物を保護するため繊維ベルトが上面部と下面部に連結されており、繊維ベルトの中央にジッパーを結合して開閉可能に形成される。
【０００５】
しかし、図１に示した書類ケースは、内容物を収容する空間を形成するため支持部材を作って前面部と下面部とを接触するなど、製作過程が複雑であり、接着部が取れ易くなるという問題点があるとともに、入口が狭くて内容物を挿入したり取り出したりする作業が容易に行えないという問題点もあった。
【０００６】
また、図２に示した書類ケースは、内容物を保護するためジッパー付繊維ベルトを使用しているため、製造コストがアップするという問題点があるとともに、内容物を入れたり出したりする時、書類ケースの小幅面を除くジッパーが付着された３面を開ける必要があり、不便である。
【考案の開示】
【考案が解決しようとする課題】
【０００７】
本考案は、前述のような従来の書類ケースの問題点を解決するためになされたもので、本考案の目的は、合成樹脂製の薄板と縫い作業だけで形成することによる、低コストで丈夫な書類ケースを提供することにある。
【課題を解決するための手段】
【０００８】
上記の目的を達成するため、本考案は、合成樹脂製の薄板を上面部、下面部および小幅面部が形成されるように一体に裁断し、他の合成樹脂製の薄板を仕切り部が形成されるように裁断し、前記小幅面部を除いた上面部と下面部の縁部に一定の面積で折り曲げられた仕切り部を位置させ、その縁部をナイロンやポリエステルなどの合成繊維からなるプレートウェッビング（Ｐｌａｔｅ Ｗｅｂｂｉｎｇ）で包んだ後、縫うことで形成される。
【考案の効果】
【０００９】
本考案の書類ケースは、合成樹脂製の薄板を裁断し、プレートウェッビングを塗った後、縫い作業を行うだけで書類ケースを製作することができるため、製作単価が低くなる効果が得られ、ジッパーや支持部材を使用することなく合成樹脂製の薄板を裁断した仕切り部だけで内容物を保護することができ、容易に１８０°以上に開けることができるため、便利である。
【考案を実施するための最良の形態】
【００１０】
以下、添付の図面に基づいて本考案の好適な実施例を挙げて説明する。
【実施例】
【００１１】
図３乃至図６に示されたように、本考案に係る書類ケースは、書類ケース本体100を形成するため、合成樹脂製の薄板を上面部101、下面部103および小幅面部102が形成されるように一体型に裁断し、他の合成樹脂製の薄板を上部仕切り部200と下部仕切り部300が形成されるように裁断して、前記合成樹脂製の薄板をナイロンやポリエステルなどの合成繊維からなるプレートウェッビング400で包んだ後、縫い線401に沿って縫うことで形成される。
【００１２】
また、前記上面部101の中央の上端部（図３参照）に雄面ファスナー220を円形に形成し、前記下面部103の中央の下端部（図３参照）に雌面ファスナー320を形成することで書類ケースの開閉が可能となる。
【００１３】
以下、本考案による書類ケースの製造過程を説明する。
【００１４】
図５において、書類ケース本体100は、上面部101と下面部103および小幅面部102を一体型にして合成樹脂製の薄板を裁断し、上面部101の左右縁部と下面部103の左右縁部を一定の半径で面取りして形成される。
【００１５】
また、図６に示されたように、他の合成樹脂製の薄板を裁断し、前記上部仕切り部200と下部仕切り部300は、仕切り小幅面部305が形成されるように前記上部仕切り部200と下部仕切り部300の一端から小幅面を直角に折り曲げてＬ字状に形成し、前記上部仕切り部200と下部仕切り部300の仕切り小幅面部305の端部が小幅面部102を除いた上面部101と下面部103の縁部にそれぞれ一致するように口字状に形成するが、上部仕切り部200と下部仕切り部300がＬ字状で仕切り小幅面部305と直角をなしているため、曲面仕切り小幅面部307に一定の間隔に切開した切開線を形成することで、上面部101と下面部103の縁部とが一致するように形成される。
【００１６】
前述のように、書類ケース本体100と上部仕切り部200および下部仕切り部300を結合するため、口字状となった上部仕切り部200と下部仕切り部300の各仕切り小幅面部305の端部を前記上面部101と下面部103の縁部に一致させた後、一定の面積を有するプレートウェッビング400で塗り、縫い線401に沿って裁縫して結合させる。
【００１７】
また、上面部101の中央上端部（図３参照）に雄面ファスナー220を円形に形成し、下面部103の中央下端部（図３参照）に雌面ファスナー320を形成し、前記プレートウェッビング400で共に塗り、裁縫して結合する。また、上部仕切り部200と下部仕切り部300の仕切り小幅面部305を除いた残りの部分は、予めプレートウェッビング400で塗って裁縫する。この時、図４に示されたように、書類ケースを開閉可能とするため、前記上部仕切り部200の仕切り小幅面部205を下部仕切り部300の仕切り小幅面部305より２〜３ｍｍ程度広く（図５の部分拡大図参照）折り曲げ、上面部101と下面部103を開閉する時、下部仕切り部300が上部仕切り部200の外側に位置できるようにすると共に、各仕切り部の縁部に形成されたプレートウェッビング400の幅により上部仕切り部200と下部仕切り部300とは互いに締め付ける働きをするようになる。
【００１８】
前述のように形成された書類ケースを使用する方法は、図７のように雌面ファスナー320を円形に形成された雄面ファスナー220から分離し、上面部101を持ち上げて１８０°に完全に開けた後、ノート510やその他の文具類を挿入し、上面部101を閉めた後、再び雌面ファスナー320を円形に形成された雄面ファスナー220に接着させて閉めることができるように形成される。また、円形に形成された雄面ファスナー220の円形部にペン500などの筆記具を挿入できるようにすることで、書類や他の文具類を挿入した書類ケースを手で把持すると、ペンや他の筆記具が掛け部材として作用するようになり、これによって、手から容易に離脱しないようになる。
【００１９】
図８は、前述のような書類ケースに種々の部材を設けて形成する種々の実施例を示したものであり、前記書類ケースの後面に一定形態の羽根部を付着して収納空間を広くすることができ（図８（ａ））、クリップを付着（図８（ｂ））することができ、図８（ｃ）のように面ファスナーの代わりに、スナップボタンを用いることもできる。
【産業上の利用可能性】
【００２０】
以上のように、本考案の書類ケースは、合成樹脂製の薄板を裁断し、プレートウェッビングを塗った後、縫い作業を行うだけで書類ケースを製作することができるため、製作単価が低くなる効果が得られ、ジッパーや支持部材を使用することなく合成樹脂製の薄板を裁断した仕切り部だけで内容物を保護することができ、容易に１８０°以上に開けることができるため、便利である。
【図面の簡単な説明】
【００２１】
【図１】従来の書類ケースを示す斜視図である。
【図２】従来の他の書類ケースを示す斜視図である。
【図３】本考案の実施例による書類ケースを示す斜視図である。
【図４】本考案の実施例による書類ケースが開けられた状態を示す図である。
【図５】本考案の実施例による書類ケースの展開図および部分拡大図である。
【図６】本考案の実施例による書類ケースの部分拡大斜視図である。
【図７】本考案の実施例による書類ケースの使用状態図である。
【図８】本考案の実施例による書類ケースの種々の形態の部材を取り付けた状態図である。
【符号の説明】
【００２２】
１００    書類ケース
１０１    上面部
１０２    小幅面部
１０３    下面部
２００    上部仕切り部
２０５    仕切り小幅面部
２２０    雄面ファスナー
３００    下部仕切り部
３０５    仕切り小幅面部
３０７    曲面仕切り小幅面部
３２０    雌面ファスナー
４００    プレートウェッビング
４０１    縫い線
５００    ペン
５１０    ノート